(57)【要約】      （修正有）【課題】複数のカードを収容することができると共に縦置きや横置きを自由に選択してカードを立て掛けて置くことができる使い勝手のよい紙製カードスタンドを提供する。【解決手段】紙製カードスタンド１０は、紙で形成されたケース保持体１２と、このケース保持体１２にスライドして収納されると共に絵葉書が収容される紙で形成されたケース体１４とから形成されている。ケース保持体１２の一側面にはケース体１４が入るケース体収容部１６が形成されている。また、ケース体１４には複数枚の絵葉書を収容できるカード収容部１８が形成されている。ケース保持体１２の第２背面シート部４２にはスタンド形成スリット４４が形成され、これによりスタンド４６が形成されている。このスタンド４６には横置き当接辺と縦置き当接辺が形成されている。【選択図】図３
0003187358.tif 000002
【実用新案登録請求の範囲】
【請求項１】
ケース保持体と、このケース保持体に形成されたケース体収容部と、このケース体収容部にスライドして収容可能なケース体と、このケース体に形成されてカードを収容できるカード収容部と、を備えた紙製カードスタンドであって、
前記ケース保持体の正面シート部に形成された窓部と、前記正面シート部の一端部に天面部折線を介して形成された天面部と、この天面部に第１背面シート部折線を介して形成された第１背面シート部と、この第１背面シート部に第１吊下片形成スリットを形成することにより形成された第１吊下片と、前記第１背面シート部に貫通形成された第２背面シート部係止スリットと、前記正面シート部の他端部に底面部折線を介して形成された底面部と、この底面部に第２背面シート部折線を介して形成された第２背面シート部と、この第２背面シート部にスタンド形成スリットを形成することにより形成されたスタンドと、このスタンドに貫通形成されたスタンド補助片用スリットと、前記スタンドに形成された横置き当接辺及び縦置き当接辺と、前記第２背面シート部の一側部に第２吊下片形成スリットを形成することにより形成された第２吊下片と、前記第２背面シート部の他端部に形成された第２背面シート部係止舌片と、前記正面シート部の側部に側面部折線を介して形成された側面部と、この側面部に第３背面シート部折線を介して形成された第３背面シート部と、この第３背面シート部にスタンド補助片形成スリットを形成することにより形成されたスタンド補助片と、前記ケース体のケース体正面シート部の一端部に第１枠部折線を介して形成された第１枠部形成片と、この第１枠部形成片に形成された複数の第１枠部形成折線を折り曲げることにより形成された第１枠部と、前記ケース体正面シート部の他端部に第２枠部折線を介して形成された第２枠部形成片と、この第２枠部形成片に形成された複数の第２枠部形成折線を折り曲げることにより形成された第２枠部と、前記ケース体正面シート部の一側部に第３枠部折線を介して形成された第３枠部形成片と、この第３枠部形成片に複数形成された第３枠部形成折線を折り曲げることにより形成された第３枠部と、前記ケース体正面シート部の他側部に形成された第４枠部折線を介して形成された第４枠部形成片と、この第４枠部形成片に形成された複数の第４枠部形成折線を折り曲げることにより形成された第４枠部と、を有してなることを特徴とする紙製カードスタンド。
【請求項２】
ケース保持体と、このケース保持体に形成されたケース体収容部と、このケース体収容部にスライドして収容可能なケース体と、このケース体に形成されてカードを収容できるカード収容部と、を備えた紙製カードスタンドであって、
前記ケース保持体の正面シート部に形成された窓部と、前記正面シート部の一端部に天面部折線を介して形成された天面部と、この天面部に第１背面シート部折線を介して形成された第１背面シート部と、この第１背面シート部に第１吊下片形成スリットを形成することにより形成された第１吊下片と、前記第１背面シート部に貫通形成された第２背面シート部係止スリットと、前記正面シート部の他端部に底面部折線を介して形成された底面部と、この底面部に第２背面シート部折線を介して形成された第２背面シート部と、この第２背面シート部にスタンド形成スリットを形成することにより形成されたスタンドと、このスタンドに貫通形成されたスタンド補助片用スリットと、前記スタンドに形成された横置き当接辺及び縦置き当接辺と、前記第２背面シート部の一側部に第２吊下片形成スリットを形成することにより形成された第２吊下片と、前記第２背面シート部の一側部に形成された指差込用切欠と、前記第２背面シート部の他端部に形成された第２背面シート部係止舌片と、前記正面シート部の他側部に側面部折線を介して形成された側面部と、この側面部に第３背面シート部折線を介して形成された第３背面シート部と、この第３背面シート部にスタンド補助片形成スリットを形成することにより形成されたスタンド補助片と、前記ケース体のケース体正面シート部の一端部に第１枠部折線を介して形成された第１枠部形成片と、この第１枠部形成片に形成された複数の第１枠部形成折線を折り曲げることにより形成された第１枠部と、前記ケース体正面シート部の他端部に第２枠部折線を介して形成された第２枠部形成片と、この第２枠部形成片に形成された複数の第２枠部形成折線を折り曲げることにより形成された第２枠部と、この第２枠部に形成された第２枠部係止片と、前記ケース体正面シート部の一側部に第３枠部折線を介して形成された第３枠部形成片と、この第３枠部形成片に複数形成された第３枠部形成折線を折り曲げることにより形成された第３枠部と、この第３枠部に形成された第３枠部係止片と、前記第３枠部形成片に指差込用開口形成片折線を介して形成された指差込用開口形成片と、この指差込用開口形成片に貫通形成された指差込用開口と、前記ケース体正面シート部の他側部に形成された第４枠部折線を介して形成された第４枠部形成片と、この第４枠部形成片に形成された複数の第４枠部形成折線を折り曲げることにより形成された第４枠部と、この第４枠部に形成された第４枠部係止片と、を有してなることを特徴とする紙製カードスタンド。
【請求項３】
正面シート部と、この正面シート部に形成された窓部と、前記正面シート部の一端部に第１背面シート部折線を介して形成された第１背面シート部と、この第１背面シート部に第１吊下片形成スリットを形成することにより形成された第１吊下片と、前記第１背面シート部に貫通形成された第２背面シート部係止スリットと、前記第１背面シート部にスタンド補助片形成スリットを形成することにより形成されたスタンド補助片と、前記第１背面シート部の一側部と他側部にカード係止片形成スリットを形成することにより形成されたカード係止片と、前記正面シート部の他端部に第２背面シート部折線を介して形成された第２背面シート部と、この第２背面シート部にスタンド形成スリットを形成することにより形成されたスタンドと、このスタンドに貫通形成されたスタンド補助片用スリットと、前記スタンドに形成された横置き当接辺及び縦置き当接辺と、前記第２背面シート部の一側部に第２吊下片形成スリットを形成することにより形成された第２吊下片と、前記第２背面シート部の他端部に形成された第２背面シート部係止舌片と、前記正面シート部と前記第１背面シート部との間に形成されたカード収容部と、を有してなることを特徴とする紙製カードスタンド。
【考案の詳細な説明】
【技術分野】
【０００１】
本考案は、絵葉書等をはじめとして各種カードを立て掛けて置くことができるカードスタンドに関し、詳しくはカードを複数枚収容した状態で自由に横置きや縦置きを選択することができる紙製カードスタンドに関する。
【背景技術】
【０００２】
従来より絵葉書等のカードを立て掛けて絵葉書の絵や写真等を鑑賞できるカードスタンドが知られている。
しかし、従来のカードスタンドは一枚のカードをカードスタンドに収容して立て掛けて置く機能しか有していないため、絵葉書等のカードを複数枚所有していても一緒にカードスタンドに収容できないという不具合がある。
また、従来のカードスタンドは縦置き又は横置きの一方を選択して立て掛けて置かなければならないので、収容する絵葉書等のカードに描かれている絵や写真等によっては絵や写真等の上下左右関係と対応して立て掛けて置くことができず、使い勝手が悪かった。
【考案の概要】
【考案が解決しようとする課題】
【０００３】
本考案は、上記事実に鑑みなされたものであり、複数のカードを収容することができると共に横置きや縦置きを自由に選択してカードを立て掛けて置くことができる使い勝手のよい紙製カードスタンドを提供するものである。
【課題を解決するための手段】
【０００４】
請求項１の考案は、ケース保持体と、このケース保持体に形成されたケース体収容部と、このケース体収容部にスライドして収容可能なケース体と、このケース体に形成されてカードを収容できるカード収容部と、を備えた紙製カードスタンドであって、
前記ケース保持体の正面シート部に形成された窓部と、前記正面シート部の一端部に天面部折線を介して形成された天面部と、この天面部に第１背面シート部折線を介して形成された第１背面シート部と、この第１背面シート部に第１吊下片形成スリットを形成することにより形成された第１吊下片と、前記第１背面シート部に貫通形成された第２背面シート部係止スリットと、前記正面シート部の他端部に底面部折線を介して形成された底面部と、この底面部に第２背面シート部折線を介して形成された第２背面シート部と、この第２背面シート部にスタンド形成スリットを形成することにより形成されたスタンドと、このスタンドに貫通形成されたスタンド補助片用スリットと、前記スタンドに形成された横置き当接辺及び縦置き当接辺と、前記第２背面シート部の一側部に第２吊下片形成スリットを形成することにより形成された第２吊下片と、前記第２背面シート部の他端部に形成された第２背面シート部係止舌片と、前記正面シート部の側部に側面部折線を介して形成された側面部と、この側面部に第３背面シート部折線を介して形成された第３背面シート部と、この第３背面シート部にスタンド補助片形成スリットを形成することにより形成されたスタンド補助片と、前記ケース体のケース体正面シート部の一端部に第１枠部折線を介して形成された第１枠部形成片と、この第１枠部形成片に形成された複数の第１枠部形成折線を折り曲げることにより形成された第１枠部と、前記ケース体正面シート部の他端部に第２枠部折線を介して形成された第２枠部形成片と、この第２枠部形成片に形成された複数の第２枠部形成折線を折り曲げることにより形成された第２枠部と、前記ケース体正面シート部の一側部に第３枠部折線を介して形成された第３枠部形成片と、この第３枠部形成片に複数形成された第３枠部形成折線を折り曲げることにより形成された第３枠部と、前記ケース体正面シート部の他側部に形成された第４枠部折線を介して形成された第４枠部形成片と、この第４枠部形成片に形成された複数の第４枠部形成折線を折り曲げることにより形成された第４枠部と、を有してなることを特徴としている。
請求項２の考案は、ケース保持体と、このケース保持体に形成されたケース体収容部と、このケース体収容部にスライドして収容可能なケース体と、このケース体に形成されてカードを収容できるカード収容部と、を備えた紙製カードスタンドであって、
前記ケース保持体の正面シート部に形成された窓部と、前記正面シート部の一端部に天面部折線を介して形成された天面部と、この天面部に第１背面シート部折線を介して形成された第１背面シート部と、この第１背面シート部に第１吊下片形成スリットを形成することにより形成された第１吊下片と、前記第１背面シート部に貫通形成された第２背面シート部係止スリットと、前記正面シート部の他端部に底面部折線を介して形成された底面部と、この底面部に第２背面シート部折線を介して形成された第２背面シート部と、この第２背面シート部にスタンド形成スリットを形成することにより形成されたスタンドと、このスタンドに貫通形成されたスタンド補助片用スリットと、前記スタンドに形成された横置き当接辺及び縦置き当接辺と、前記第２背面シート部の一側部に第２吊下片形成スリットを形成することにより形成された第２吊下片と、前記第２背面シート部の一側部に形成された指差込用切欠と、前記第２背面シート部の他端部に形成された第２背面シート部係止舌片と、前記正面シート部の他側部に側面部折線を介して形成された側面部と、この側面部に第３背面シート部折線を介して形成された第３背面シート部と、この第３背面シート部にスタンド補助片形成スリットを形成することにより形成されたスタンド補助片と、前記ケース体のケース体正面シート部の一端部に第１枠部折線を介して形成された第１枠部形成片と、この第１枠部形成片に形成された複数の第１枠部形成折線を折り曲げることにより形成された第１枠部と、前記ケース体正面シート部の他端部に第２枠部折線を介して形成された第２枠部形成片と、この第２枠部形成片に形成された複数の第２枠部形成折線を折り曲げることにより形成された第２枠部と、この第２枠部に形成された第２枠部係止片と、前記ケース体正面シート部の一側部に第３枠部折線を介して形成された第３枠部形成片と、この第３枠部形成片に複数形成された第３枠部形成折線を折り曲げることにより形成された第３枠部と、この第３枠部に形成された第３枠部係止片と、前記第３枠部形成片に指差込用開口形成片折線を介して形成された指差込用開口形成片と、この指差込用開口形成片に貫通形成された指差込用開口と、前記ケース体正面シート部の他側部に形成された第４枠部折線を介して形成された第４枠部形成片と、この第４枠部形成片に形成された複数の第４枠部形成折線を折り曲げることにより形成された第４枠部と、この第４枠部に形成された第４枠部係止片と、を有してなることを特徴としている。
請求項３の考案は、正面シート部と、この正面シート部に形成された窓部と、前記正面シート部の一端部に第１背面シート部折線を介して形成された第１背面シート部と、この第１背面シート部に第１吊下片形成スリットを形成することにより形成された第１吊下片と、前記第１背面シート部に貫通形成された第２背面シート部係止スリットと、前記第１背面シート部にスタンド補助片形成スリットを形成することにより形成されたスタンド補助片と、前記第１背面シート部の一側部と他側部にカード係止片形成スリットを形成することにより形成されたカード係止片と、前記正面シート部の他端部に第２背面シート部折線を介して形成された第２背面シート部と、この第２背面シート部にスタンド形成スリットを形成することにより形成されたスタンドと、このスタンドに貫通形成されたスタンド補助片用スリットと、前記スタンドに形成された横置き当接辺及び縦置き当接辺と、前記第２背面シート部の一側部に第２吊下片形成スリットを形成することにより形成された第２吊下片と、前記第２背面シート部の他端部に形成された第２背面シート部係止舌片と、前記正面シート部と前記第１背面シート部との間に形成されたカード収容部と、を有してなることを特徴としている。
【考案の効果】
【０００５】
本考案の紙製カードスタンドは、複数の絵葉書等のカードを一緒に収容できると共に複数のカードを気分等に応じて手前側に差し替えて鑑賞できるという優れた効果を有する。
本考案の紙製カードスタンドは、自由に横置又は縦置きすることができるのでカードの絵柄等に合わせてカードを立て掛けて鑑賞できるという優れた効果を有する。
本考案の紙製カードスタンドは、立て掛けて置くだけでなく、横吊り又は縦吊りすることができるという優れた効果を有する。
本考案の紙製カードスタンドは、紙製であるので、軽量であると共にカードスタンドを焼却処分する場合等においては二酸化炭素等の排出を抑えられるため環境的にも優れた効果を有する。
請求項３の紙製カードスタンドは、上記優れた効果の他に製造が容易であると共に組み立ても容易に行うことができるという優れた効果を有する。
【図面の簡単な説明】
【０００６】
【図１】第１実施例の紙製カードスタンドを横置きした状態の正面斜視図である。
【図２】第１実施例の紙製カードスタンドを横置きした状態の背面斜視図である。
【図３】第１実施例の紙製カードスタンドのケース保持体からケース体をスライドさせた状態の正面斜視図である。
【図４】第１実施例の紙製カードスタンドを縦置きした状態の背面斜視図である。
【図５】第１実施例の紙製カードスタンドのケース保持体の展開図である。
【図６】第１実施例の紙製カードスタンドのケース体の展開図である。
【図７】第２実施例の紙製カードスタンドを横置きした状態の正面斜視図である。
【図８】第２実施例の紙製カードスタンドの展開図である。
【考案を実施するための形態】
【０００７】
考案を実施するために最良の形態の例として以下のような実施例を示す。
【実施例１】
【０００８】
図１〜図６には本考案に係る紙製カードスタンドの第１実施例が示されている。なお、この実施例ではカードとしての絵葉書（図示せず）を立て掛ける場合を例にして説明する。
図１に示されるように、紙製カードスタンド１０は紙で形成されたケース保持体１２と、このケース保持体１２にスライドして収納されると共に絵葉書（図示せず）が収容される紙で形成されたケース体１４とから形成されている。
図３に示されるように、前記ケース保持体１２の一側面にはケース体１４が入るケース体収容部１６が形成されている。また、前記ケース体１４には複数枚の絵葉書を収容できるカード収容部１８が形成されている。
図５には前記ケース保持体１２が展開図で示されている。
このケース保持体１２の正面シート部２０には窓部２１が大きく開口形成されている。この正面シート部２０の一端部には天面部折線２２を介して天面部２４が連続形成されている。この天面部２４には第１背面シート部折線２６を介して第１背面シート部２８が連続形成されている。この第１背面シート部２８には第１吊下片形成スリット２９が形成され、これにより第１吊下片３０が形成されている。この第１吊下片３０には吊下孔３０Ａが貫通されている。前記第１吊下片３０はミシン目３２を介して第１背面シート部２８と連結されると共にミシン目３２で折り曲げることができるようになっている。また、第１背面シート部２８には横方向に向かって第２背面シート部係止スリット３４が貫通形成されている。
前記正面シート部２０の他端部には底面部折線３６を介して底面部３８が連続形成されている。この底面部３８には第２背面シート部折線４０を介して第２背面シート部４２が連続形成されている。
この第２背面シート部４２にはスタンド形成スリット４４が形成され、これによりスタンド４６が形成されている。このスタンド４６には横置き当接辺４６Ａと縦置き当接辺４６Ｂが形成されている。前記スタンド４６はミシン目４８を介して前記第２背面シート部４２と連結されると共にミシン目４８で折り曲げることができるようになっている。
前記スタンド４６の中央部にはスタンド補助片用スリット５０が貫通形成されている。また、前記スタンド４６にはスタンド形成折線５２，５２が形成されている。これらスタンド形成折線５２，５２を折ることによりスタンド４６を立体的に形成でき、安定して立てることができるようになっている（図２参照）。
前記第２背面シート部４２の一側部には第２吊下片形成スリット５３が形成され、これにより第２吊下片５４が形成されている。この第２吊下片５４には吊下孔５４Ａが貫通されている。この第２吊下片５４はミシン目５６を介して第２背面シート部４２と連結されると共にミシン目５６で折り曲げることができるようになっている。
前記第２背面シート部４２の一側部には指差込用切欠５８が形成されている。また、第２背面シート部４２の他端部には第２背面シート部係止舌片６０が形成されている。この第２背面シート部係止舌片６０は前記第２背面シート部係止スリット３４に挿入できるようになっている。
前記正面シート部２０の他側部には側面部折線６２を介して側面部６４が連続形成されている。この側面部６４には第３背面シート部折線６６を介して台形状の第３背面シート部６８が連続形成されている。
この第３背面シート部６８にはスタンド補助片形成スリット７０が形成され、これによりスタンド補助片７２が形成されている。このスタンド補助片７２はミシン目７４を介して前記第３背面シート部６８と連結されると共にミシン目７４で折り曲げることができるようになっている。前記スタンド補助片７２には括れ部７２Ａが形成され、前記スタンド補助片用スリット５０に挿入された状態で係止されるようになっている。
図６には前記ケース体１４が展開図で示されている。
このケース体１４のケース体正面シート部７６の一端部にはミシン目の第１枠部折線７８を介して第１枠部形成片８０が連続形成されている。この第１枠部形成片８０には第１枠部形成折線８１，８１が形成されている。この第１枠部形成折線８１と第１枠部形成折線８１を折り曲げることにより第１枠部８２（図３参照）が形成されるようになっている。
前記ケース体正面シート部７６の他端部にはミシン目の第２枠部折線８４を介して第２枠部形成片８６が連続形成されている。この第２枠部形成片８６には第２枠部形成折線８７，８７が形成されている。この第２枠部形成折線８７と第２枠部形成折線８７を折り曲げることにより第２枠部８８（図３参照）が形成されるようになっている。また、この第２枠部８８には第２枠部係止片８９が形成されている。
前記ケース体正面シート部７６の一側部にはミシン目の第３枠部折線９０を介して第３枠部形成片９２が連続形成されている。この第３枠部形成片９２には第３枠部形成折線９４，９４，９４が形成されている。この第３枠部形成折線９４と第３枠部形成折線９４と第３枠部形成折線９４を折り曲げることにより第３枠部９６（図３参照）が形成されるようになっている。また、この第３枠部９６には第３枠部係止片９８が形成されている。
前記第３枠部形成片９２にはミシン目の指差込用開口形成片折線１００を介して三角形状の指差込用開口形成片１０２が形成されている。この指差込用開口形成片１０２には指差込用開口１０４が貫通形成されている。この指差込用開口１０４はケース体１４をケース保持体１２に収容した場合に前記指差込用切欠５８と対応するようになっている（図２参照）。
前記ケース体正面シート部７６の他側部にはミシン目の第４枠部折線１０６を介して第４枠部形成片１０８が連続形成されている。この第４枠部形成片１０８には第４枠部形成折線１１０，１１０，１１０が形成されている。この第４枠部形成折線１１０と第４枠部形成折線１１０と第４枠部形成折線１１０を折り曲げることにより第４枠部１１２（図３参照）が形成されるようになっている。また、この第４枠部１１２には第４枠部係止片１１４が形成されている。
【０００９】
第１実施例の紙製カードスタンド１０のケース保持体１２を組み立てる場合は側面部折線６２と第３背面シート部折線６６を折り曲げて第３背面シート部６８を正面シート部２０の背面に配設する。次に、天面部折線２２と第１背面シート部折線２６を折り曲げて第１背面シート部２８を第３背面シート部６８の背面に配設する。また、底面部折線３６と第２背面シート部折線４０を折り曲げて第２背面シート部４２を第１背面シート部２８の背面に配設すると共に第２背面シート部係止舌片６０を第２背面シート部係止スリット３４に挿入することにより、ケース保持体１２の組み立が完成する。
前記ケース体１４を組み立てる場合は第１枠部折線７８、第１枠部形成折線８１、第１枠部形成折線８１を折り曲げて第１枠部８２を形成し、第２枠部折線８４、第２枠部形成折線８７、第２枠部形成折線８７を折り曲げて第２枠部８８を形成する。また、第３枠部折線９０、第３枠部形成折線９４、第３枠部形成折線９４、第３枠部形成折線９４、指差込用開口形成片折線１００を折り曲げて第３枠部９６を形成し、第４枠部折線１０６、第４枠部形成折線１１０、第４枠部形成折線１１０、第４枠部形成折線１１０を折り曲げて第４枠部１１２が形成する。これにより、ケース体１４の組み立てが完成する。
そして、ケース体１４をケース保持体１２のケース体収容部１６にスライドさせて収容することにより紙製カードスタンド１０が完成する。
また、前記紙製カードスタンド１０を立て掛ける場合は、スタンド４６をミシン目４８で後方に折り曲げると共にスタンド形成折線５２，５２を折り曲げてスタンド４６を立体的に形成する。そして、スタンド補助片７２をミシン目７４を介して折り曲げて、スタンド補助片７２の括れ部７２Ａを前記スタンド補助片用スリット５０に挿入して係止することにより図２に示すようにスタンド４６を安定して立てることができる。
【００１０】
次に第１実施例の紙製カードスタンド１０の作用を説明する。
前記紙製カードスタンド１０に絵葉書を収容する場合は、指差込用切欠５８と指差込用開口９０に指を入れてケース保持体１２からケース体１４をスライドさせて引き出す。そして、絵葉書（図示せず）をケース体１４のカード収容部１８に収容する。
図３に示されるように、カード収容部１８のケース体正面シート部７６は第１枠部８２、第２枠部８８、第３枠部９６、第４枠部１１２に囲まれるため複数の絵葉書を重ねて収容することができる。また、一番手前側に収容された絵葉書は第２枠部係止片８９、第３枠部係止片９８、第４枠部係止片１１４によってカード収容部１８から不用意に飛び出すことを阻止される。
絵葉書を前記ケース体１４のカード収容部１８に収容したらケース体１４をケース体収容部１６からケース保持体１２にスライドさせて収容する。これにより、絵葉書の絵等を窓部２１を介して鑑賞することができる。
前記紙製カードスタンド１０を横置きする場合は、紙製カードスタンド１０を横向きにしてスタンド４６の横置き当接辺４６Ａを紙製カードスタンド１０を置く机等に当接させることにより、紙製カードスタンド１０を横置き状態で立て掛けて置くことができる（図１参照）。
また、前記紙製カードスタンド１０を縦置きする場合は、紙製カードスタンド１０を縦向きにしてスタンド４６の縦置き当接辺４６Ｂを紙製カードスタンド１０を置く机等に当接させることにより、紙製カードスタンド１０を縦置き状態で立て掛けて置くことができる（図４参照）。
従って、絵葉書を横置きしたい場合は紙製カードスタンド１０を横置きし、絵葉書を縦置きしたい場合は紙製カードスタンド１０を縦置きすることができるので、絵葉書の絵等に合わせた最適な置き方で絵葉書を鑑賞することができる。
また、紙製カードスタンド１０を横置き状態で吊下げたい場合はミシン目３２を折り曲げて、図１に想像線で示すように第１吊下片３０を突出させる。そして、第１吊下片３０の吊下孔３０Ａに壁から突出したピン等を挿入することにより紙製カードスタンド１０を横置き状態で吊下げることができる。
また、紙製カードスタンド１０を縦置き状態で吊下げたい場合はミシン目５６を折り曲げて、図４に想像線で示すように第２吊下片５４を突出させる。そして、第２吊下片５４の吊下孔５４Ａに壁から突出したピン等を挿入することにより紙製カードスタンド１０を縦置き状態で吊下げることができる。
従って、紙製カードスタンド１０を置く机等が無い場合にも絵葉書を絵葉書の絵柄に合った状態で鑑賞できて便利である。
また、紙製カードスタンド１０は紙製なので、軽量で携帯し易く、また紙製カードスタンド１０を焼却処分する場合は二酸化炭素等の排出を抑えられるため環境的にも優しい。
【００１１】
図７及び図８には紙製カードスタンドの第２実施例が示されている。第２実施例の紙製カードスタンド１２０は第１実施例の紙製カードスタンド１０のようにケース保持体１２とケース体１４の２物品から構成されるもでなく、１物品から構成されている。なお、第１実施例の紙製カードスタンド１０と同一の構成は同一の符号を用いてその説明を省略する。
図７に示されるように、第２実施例の紙で形成された紙製カードスタンド１２０の正面シート部１２２には窓部２１が大きく開口形成されている。
図８には紙製カードスタンド１２０が展開図で示されている。
前記正面シート部１２２の一端部には第１背面シート部折線１２４を介して第１背面シート部１２６が連続形成されている。この第１背面シート部１２６には第１吊下片形成スリット２９が形成され、これにより第１吊下片３０が形成されている。この第１吊下片３０には吊下孔３０Ａが貫通されている。前記第１吊下片３０はミシン目３２を介して第１背面シート部１２６と連結されると共にミシン目３２で折り曲げることができるようになっている。
また、前記第１背面シート部１２６には第２背面シート部係止スリット３４が貫通形成されている。
前記第１背面シート部１２６にはスタンド補助片形成スリッ７０が形成され、これによりスタンド補助片７２が形成されている。このスタンド補助片７２はミシン目７４を介して前記第１背面シート部１２６と連結されると共にミシン目７４で折り曲げることがでるようになっている。前記スタンド補助片７２には括れ部７２Ａが形成されている。
前記第１背面シート部１２６の一側部には半円状のカード係止片形成スリット１２７が形成され、これによりカード係止片１２８が１個形成されている。また、前記第１背面シート部１２６の他側部には半円状のカード係止片形成スリット１２７，１２７が形成され、これによりカード係止片１２８が２個形成されている。
前記正面シート部１２２の他端部には第２背面シート部折線１３０を介して第２背面シート部１３２が連続形成されている。
この第２背面シート部１３２にはスタンド形成スリット４４が形成され、これによりスタンド４６が形成されている。このスタンド４６には横置き当接辺４６Ａと縦置き当接辺４６Ｂが形成されている。前記スタンド４６はミシン目４８を介して前記第２背面シート部４２と連結されると共にミシン目４８で折り曲げることができるようになっている。
前記スタンド４６の中央部にはスタンド補助片用スリット５０が貫通形成されている。また、前記スタンド４６にはそれぞれスタンド形成折線５２，５２が形成されている。
前記第２背面シート部１３２の一側部には第２吊下片形成スリット５３が形成され、これにより第２吊下片５４が形成されている。この第２吊下片５４には吊下孔５４Ａが貫通されている。この第２吊下片５４はミシン目５６を介して第２背面シート部１３２と連結されると共にミシン目５６で折り曲げることができるようになっている。
前記正面シート部１２２の一側部には第１折返片折線１３４を介して第１折返片１３６が連続形成されている。また、前記正面シート部１２２の他側部には第２折返片折線１３８を介して第２折返片１４０が連続形成されている。
なお、前記正面シート部１２２と前記第１背面シート部１２６との間のスペースが絵葉書を収容するカード収容部１４２（図７参照）となっている。
【００１２】
第２実施例の紙製カードスタンド１２０を組み立てる場合は第１折返片折線１３４と第２折返片折線１３８を折り曲げて第１折返片１３６と第２折返片１４０を正面シート部１２２の背面に配設する。
次に、第１背面シート部折線１２４を折り曲げて第１背面シート部１２６を正面シート部１２２の背面に配設する。また、第２背面シート部折線１３０を折り曲げて第２背面シート部１３２を第１背面シート部１２６の背面に配設すると共に第２背面シート部係止舌片６０を第２背面シート部係止スリット３４に挿入することにより、紙製カードスタンド１２０の組み立てが完成する。
【００１３】
次に第２実施例の紙製カードスタンド１２０の作用を説明する。
前記紙製カードスタンド１２０に絵葉書を収容する場合は、正面シート部１２２と前記第１背面シート部１２６との間から絵葉書をカード収容部１４２にスライドさせて収容させる。そして、絵葉書の一側部と他側部を前記カード係止片１２８で挟んで係止させることにより、カード収容部１４２に収容した絵葉書が不用意にカード収容部１４２から脱落するのを確実に防止することができる。
また、カード収容部１４２に複数枚の絵葉書を収容した場合において絵葉書が不用意にカード収容部１４２から脱落するのを確実に防止したい場合は、複数の絵葉書の一側を前記正面シート部１２２と第１折返片１３６で挟み、絵葉書の他側を前記正面シート部１２２と第２折返片１４０で挟むようにすればよい。
なお、第２実施例の紙製カードスタンド１２０は第１実施例の紙製カードスタンド１０と異なり１物品で形成されているので、製造が容易であると共に紙製カードスタンド１２０の組み立ても容易に行うことができる。
なお、他の作用、効果は第１実施例の紙製カードスタンド１０と同一であるので、その説明は省略する。
【００１４】
なお、実施例ではカードとしての絵葉書を立て掛ける場合を説明したが、カードは絵葉書に限定されるものでないことは勿論である。
【産業上の利用可能性】
【００１５】
本考案の紙製カードスタンドは、絵葉書以外の写真等を立て掛ける場合にも使用することができる。
【符号の説明】
【００１６】
１０    紙製カードスタンド
１２    ケース保持体
１４    ケース体
１６    ケース体収容部
１８    カード収容部
２０    正面シート部
２１    窓部
２２    天面部折線
２４    天面部
２６    第１背面シート部折線
２８    第１背面シート部
２９    第１吊下片形成スリット
３０    第１吊下片
３２    ミシン目
３４    第２背面シート部係止スリット
３６    底面部折線
３８    底面部
４０    第２背面シート部折線
４２    第２背面シート部
４４    スタンド形成スリット
４６    スタンド
４６Ａ  横置き当接辺
４６Ｂ  縦置き当接辺
４８    ミシン目
５０    スタンド補助片用スリット
５２    スタンド形成折線
５３    第２吊下片形成スリット
５４    第２吊下片
５６    ミシン目
５８    指差込用切欠
６０    第２背面シート部係止舌片
６２    側面部折線
６４    側面部
６６    第３背面シート部折線
６８    第３背面シート部
７０    スタンド補助片形成スリット
７２    スタンド補助片
７４    ミシン目
７６    ケース体正面シート部
７８    第１枠部折線
８０    第１枠部形成片
８１    第１枠部形成折線
８２    第１枠部
８４    第２枠部折線
８６    第２枠部形成片
８７    第２枠部形成折線
８８    第２枠部
８９    第２枠部係止片
９０    第３枠部折線
９２    第３枠部形成片
９４    第３枠部形成折線
９６    第３枠部
９８    第３枠部係止片
１００  指差込用開口形成片折線
１０２  指差込用開口形成片
１０４  指差込用開口
１０６  第４枠部折線
１０８  第４枠部形成片
１１０  第４枠部形成折線
１１２  第４枠部
１１４  第４枠部係止片
【図１】
0003187358.tif 000003
【図２】
0003187358.tif 000004
【図３】
0003187358.tif 000005
【図４】
0003187358.tif 000006
【図５】
0003187358.tif 000007
【図６】
0003187358.tif 000008
【図７】
0003187358.tif 000009
【図８】
0003187358.tif 000010